(57)【要約】【課題】  更なる使い勝手の向上を図る。【解決手段】  被写体の像を撮像するための撮像ユニットが設けられた本体部２と、撮像ユニットにより撮像された画像を記録するための記録ユニットが設けられ、本体部２の一側面に回動ヒンジ機構２０を介して回動可能に取り付けられたグリップ部４と、本体部２とグリップ部４との間を連結する連結部１３とを備え、連結部１３には、接続コード１６のプラグ１６ａが差し込まれるコネクタ部１５が設けられている。【選択図】  図７
2005218050.tif 000002
【特許請求の範囲】
【請求項１】
被写体の像を撮像するための撮像ユニットが設けられた本体部と、
上記撮像ユニットにより撮像された画像を記録するための記録ユニットが設けられ、上記本体部の一側面に回動ヒンジ機構を介して回動可能に取り付けられたグリップ部と、
上記本体部と上記グリップ部との間を連結する連結部とを備え、
上記連結部には、外部端子が差し込まれるコネクタが設けられていることを特徴とする撮像装置。
【請求項２】
上記コネクタは、上記連結部の背面側に設けられていることを特徴とする請求項１記載の撮像装置。
【請求項３】
上記回動ヒンジ機構は、上記本体部と上記回動部との一方側に取り付けられる固定板と、上記本体部と上記回動部との他方側に取り付けられる回転板と、上記回転板を上記固定板に対して回転可能に支持する支軸とを有し、
上記固定板及び上記回転板には、上記本体部と上記回動部との間で引き回されるハーネスを貫通させる開口部が形成されており、
上記固定板側の開口部と上記回転板側の開口部とは、上記グリップ部が上記本体部に対して回動される角度範囲において、少なくとも一部が重なり合うように形成されていることを特徴とする請求項１記載の撮像装置。
【請求項４】
上記回動ヒンジ機構は、上記回転板と上記固定板との間の内周側及び外周側において回動時にフリクションを付与する第１のフリクション機構及び第２のフリクション機構を有することを特徴とする請求項１記載の撮像装置。
【請求項５】
上記撮像ユニットにより撮像された画像を表示するための表示ユニットが設けられ、上記本体部の上記グリップ部が取り付けられた側面とは反対側の側面にヒンジ機構を介して開閉可能に取り付けられたパネル部を備えることを特徴とする請求項１記載の撮像装置。
【請求項６】
上記ヒンジ機構は、上記パネル部を本体部に対して開閉方向に回動可能に支持すると共に、この開閉方向と直交する軸回りに回動可能に支持することを特徴とする請求項５記載の撮像装置。
【発明の詳細な説明】
【技術分野】
【０００１】
本発明は、例えばデジタルビデオカメラやデジタルスチルカメラ等の撮像装置に関する。
【背景技術】
【０００２】
例えばデジタルスチルカメラやデジタルビデオカメラ等の撮像装置では、セット本体に全ての機能が集約されることによって、装置全体の小型化を図られている。しかしながら、撮影時には、セット本体を把持することから、セット形状によっては、握りにくさを感じたり、撮影時の姿勢や角度によっては、安定した角度での撮影が困難となるといった問題が発生してしまう。
【０００３】
そこで、撮像装置では、撮影者が把持する部分となるグリップ部を本体部の側面に回動ヒンジ機構を介して回動可能に取り付けて、撮影時の姿勢や角度に合わせて本体部に対するグリップ部の角度位置を任意に切り替えることが提案されている（例えば、特許文献１〜４）。
【０００４】
また、上述した撮像装置では、例えば撮影した映像等をデジタルデータとしてパーソナルコンピュータに取り込んで編集したり、ＨＤＤやＤＶＤ等に保存するといったことが個人で簡単に行えるようになっている。このような撮像装置では、接続コードによって外部の電子機器と接続し、データの入出力を行うものが多く、例えば本体部の側面部には、接続コードのプラグを差し込むためのコネクタが設けられている。そして、このコネクタに外部端子であるプラグを差し込むことによって、外部の電子機器と簡単に接続することが可能となっている。
【０００５】
ところで、このようなグリップ部を本体部に対して回動可能とした撮像装置では、コネクタに差し込まれた外部端子や外部端子から伸びる接続コード等が本体部に対してグリップ部を回動させた際に邪魔になるといった問題があった。
【０００６】
【特許文献１】特開平１−１０６５８５号公報
【特許文献２】特開平２−２０９７５号公報
【特許文献３】特開平６−９８２１０号公報
【特許文献４】特開２００２−１９０９７４号公報
【発明の開示】
【発明が解決しようとする課題】
【０００７】
そこで、本発明は、このような従来の事情に鑑みて提案されたものであり、更なる使い勝手の向上を可能とした撮像装置を提供することを目的とする。
【課題を解決するための手段】
【０００８】
この目的を達成するために、本発明に係る撮像装置は、被写体の像を撮像するための撮像ユニットが設けられた本体部と、撮像ユニットにより撮像された画像を記録するための記録ユニットが設けられ、本体部の一側面に回動ヒンジ機構を介して回動可能に取り付けられたグリップ部と、本体部とグリップ部との間を連結する連結部とを備え、連結部には、外部端子が差し込まれるコネクタが設けられていることを特徴としている。
【発明の効果】
【０００９】
以上のように、本発明に係る撮像装置では、本体部とグリップ部との間を連結する連結部に外部端子が差し込まれるコネクタを設けることによって、このコネクタに差し込まれた外部端子や外部端子から伸びる接続コード等が本体部に対してグリップ部を回動させた際に邪魔になることを防止することが可能である。
【発明を実施するための最良の形態】
【００１０】
以下、本発明を適用した撮像装置について、図面を参照しながら詳細に説明する。
【００１１】
本発明を適用した撮像装置は、例えば図１及び図２に示すカメラ一体型デジタルビデオテープレコーダ（以下、デジタルビデオカメラという。）１である。このデジタルビデオカメラ１は、本体部２と、この本体部２の一側面に開閉可能に取り付けられたパネル部３と、このパネル部３とは反対側の本体部２の他側面に回動可能に取り付けられたグリップ部４とを備えている。
【００１２】
本体部２は、被写体の像を撮影するための撮像ユニットを有しており、この本体部２の前面には、撮像レンズ５ａを外部に臨ませるレンズ部５が突出して設けられている。また、本体部２の上面部には、夜間等にストロボを発光させるフラッシュ発光部６がポップアップ可能に設けられている。また、本体部２の上面部には、音声を収録するための音声収録ユニットとして、マイクロフォン等のステレオマイク７がフラッシュ発光部６よりも後方に位置して設けられている。また、本体部２の各所には、各種操作を行うための操作ボタンやスイッチ等が設けられている。
【００１３】
なお、本体部２の内部には、撮像レンズ５ａを含む撮像光学系が内蔵されたレンズ鏡筒や、このレンズ鏡筒で結像された被写体の像を撮像するＣＣＤ(Charge Coupled Device)やＣＭＯＳ(Complementary Mental-Oxide Semiconductor device)等の撮像素子が設けられている。そして、この撮像ユニットは、撮像レンズ５ａを通して取り込まれた画像を撮像素子により電気信号に変換し、映像データとして後述する記録再生ユニットや表示ユニット等に出力する。
【００１４】
本体部２の背面側の上部には、上述した撮像ユニットにより撮像された画像を表示する本体側の表示ユニットとして、アイカップ８ａを通して内部の液晶表示素子(ＬＣＤ:Liquid Crystal Display)に表示された画像を覗き見るファインダ部(ＥＶＦ:Electronic View Finder)８が設けられている。
【００１５】
本体部２の背面側の下部には、図２及び図６に示すように、バッテリ９が挿脱されるバッテリ挿脱口１０と、このバッテリ挿脱口１０を通して内部にバッテリ９を収納するバッテリ収納部１１と、このバッテリ挿脱口１０を開閉する蓋体１２とが設けられている。すなわち、このデジタルビデオカメラ１では、バッテリ９を本体部２の内部に収納することが可能となっている。
【００１６】
また、本体部２とグリップ部４との間には、図３，図６及び図７に示すように、連結部１３が設けられており、この連結部１３の背面側には、コネクタカバー１４が開閉可能に取り付けてられている。そして、このコネクタカバー１４の内側には、例えばヘッドフォンやマイク等を接続するためのヘッドフォン出力端子やマイク入力端子、パーソナルコンピュータ等の他の電子機器に対して映像信号及び音声信号の入出力を行うための映像／音声入出力端子、外部電源（ＡＣアダプタ）と接続される電源ジャック等のコネクタ部１５が設けられている。したがって、この連結部１３の背面側に設けられたコネクタ部１５に対しては、撮像レンズ５ａの光軸と略平行となるように、外部から接続コード１６のプラグ１６ａが差し込まれることになる。
【００１７】
パネル部３は、図２及び図３に示すように、本体部２に２軸の回動ヒンジ機構１７を介して回動可能に取り付けられている。このヒンジ機構１７は、パネル部３を本体部２に対して、図３中矢印Ａに示す開閉方向に略９０゜の角度範囲で回動可能に支持すると共に、図３中矢印Ｂに示す開閉方向と直交する軸回りに略２７０゜の角度範囲で回動可能に支持している。これにより、パネル部３は、本体部２に対して開閉したり、開いた状態において向きを切り替えることが可能となっている。また、パネル部３は、閉じた状態において、本体部２の一側面を切り欠くように形成されたパネル収納部１８に収納することが可能となっている。
【００１８】
また、パネル部３の一主面側には、上述した撮像ユニットにより撮像された画像を表示するパネル側の表示ユニットとして、液晶表示パネル（ＬＣＤ）１９が設けられている。したがって、このデジタルビデオカメラ１では、上記ファインダ部８以外にも、撮像レンズ５ａを通して撮影された画像を液晶表示パネル１９に表示することが可能となっている。なお、この液晶表示パネル１９の前面には、タッチパネルが設けられており、液晶表示パネル１９に表示された画像を見ながら、タッチパネルを指等で押圧することによって、各種操作を行うことが可能となっている。
【００１９】
グリップ部４は、図２，図４及び図７に示すように、このデジタルビデオカメラ１を撮影者が把持する部分であり、また、回動部として本体部２の連結部１３に回動ヒンジ機構２０を介して回動可能に取り付けられている。この回動ヒンジ機構２０は、グリップ部４を本体部２に対して図４中矢印Ｃに示す光軸と直交する軸回りに略９０゜の角度範囲で回動可能に支持している。したがって、このデジタルビデオカメラ１では、撮影時の位置や角度等に合わせて本体部２に対するグリップ部４の向きを連続的に切り替えることが可能である。
【００２０】
なお、グリップ部４の各所には、このグリップ部４を把持しながら、撮影のための各種操作を行うためのシャッタボタン２１ａやズームレバー２１ｂ等が設けられている。また、グリップ部４の側面には、このグリップ部４を把持した手を押さえるためのグリップベルト２２が取り付けられている。
【００２１】
また、グリップ部４には、図５に示すように、このグリップ部４の筐体を構成する蓋体２３が開閉可能に取り付けられており、この蓋体２３の内側には、テープカセット２４を装着するためのメカデッキ２５が設けられている。なお、このメカデッキ２５には、上述した撮像ユニット及び音声収録ユニットからの映像信号及び音声信号等を記録し又はテープカセットに記録された映像信号及び音声信号等を再生するための記録再生ユニットとして、上述したメカデッキ２５に装着されたテープカセット２４の磁気テープに対して、信号の記録・再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００２２】
以上のように構成されるデジタルビデオカメラ１では、グリップ部４を把持した状態で、背面側のファインダ部８を覗きながら、或いはパネル部３の液晶表示パネル１９を見ながら、動画や静止画等の撮影を行うことが可能である。
【００２３】
また、このデジタルビデオカメラ１では、本体部２に対するパネル部３の向きを切り替えることによって、例えば液晶表示パネル１９を見ながら撮影者自身を撮影するといったことが可能である。
【００２４】
さらに、このデジタルビデオカメラ１では、撮影時の姿勢や角度等に合わせて本体部２に対するグリップ部４の向きを切り替えることによって、グリップ部４の握り易さと安定した角度での撮影を可能としている。特に、図１に示す０゜の角度位置に対して図４に示す９０゜の角度位置では、本体部２に対してグリップ部４がちょうど一眼レフと同じような形態となるため、撮影者が静止画を撮影し易くなるといった効果がある。
【００２５】
また、このデジタルビデオカメラ１では、図６に示すように、本体部２とグリップ部４との間を連結する連結部１３に外部端子が差し込まれるコネクタ部１５を設けることによって、このコネクタ部１５に差し込まれたプラグ１６ａやプラグ１６ａから伸びる接続コード１６等が本体部２に対してグリップ部４を回動させた際に邪魔になることを防止することが可能である。これにより、更なる使い勝手の向上を図ることが可能である。
【００２６】
次に、上述した本体部２とグリップ部４との間を回動可能に支持する本発明を適用した回動ヒンジ機構２０について説明する。
【００２７】
この回動ヒンジ機構２０は、図８，図９及び図１０に示すように、グリップ部４側に取り付けられる固定板３１と、本体部２側に取り付けられる一対の回転板３２，３３とを備え、一対の回転板３２，３３が固定板３１に取り付けられた支軸３４を中心に回転可能に支持されることによって、本体部２とグリップ部４との間を回動可能に支持している。
【００２８】
具体的に、固定板３１は、略正方状の板金からなり、その一辺には、この固定板３１の主面に対して直角に折り曲げられた折曲げ部３５が設けられている。固定板３１は、この折曲げ部３５が上記メカデッキ２５の側面にネジ止めされることでグリップ部４側に取り付けられている。
【００２９】
また、固定板３１の略中心部には、支軸３４を貫通させる軸孔３６が形成されており、この軸孔３６の周囲には、支軸３４の回転止めとなる一対の位置決めピン３７が一主面側から突出形成されている。一方、支軸３４は、その基端側に径が拡大する方向に突出されたフランジ部３８を有し、このフランジ部３８には、一対の位置決めピン３７と係合される一対の位置決め凹部３９が形成されている。そして、この支軸３４は、軸孔３６を貫通した状態で一対の位置決め凹部３９に一対の位置決めピン３７が係合されることによって、固定板３１に位置決め固定されている。また、支軸３４は、その基端側から順に、軸孔３６と略同径となる第１の軸部３４ａと、この第１の軸部３４ａよりも縮径された第２の軸部３４ｂと、この第２の軸部３４ｂよりも縮径された第３の軸部３４ｃとを有している。
【００３０】
固定板３１には、後述するハーネス６６を貫通させるための第１の開口部４０が形成されている。この第１の開口部４０は、ハーネス６６を貫通させるのに十分な幅で且つ軸孔３６を貫通する支軸３４を中心に略９０゜の角度範囲に亘って略円弧状に形成されている。
【００３１】
固定板３１には、本体部２に対してグリップ部４が回動される角度範囲を規制するためのストッパー突部４１が形成されている。このストッパー突部４１は、固定板３１を打ち抜くことによって他主面側から突出形成されている。
【００３２】
一対の回転板３２，３３は、略円板状の板金からなり、その中心部には、支軸３４の第２の軸部３４ｂと略同径となる軸孔４２，４３が形成されている。すなわち、一対の回転板３２，３３は、これら軸孔４２，４３が第２の軸部３４ｂを貫通させた状態で支軸３４に回転可能に支持されている。また、支軸３４の先端部には、これら一対の回転板３２，３３の抜け止めとなる略円板状の押え板４４が取り付けられている。この押え板４４は、その中心部に六角孔４４ａを有しており、この六角孔４４ａに支軸３４の第３の軸部３４ｃを圧入することで支軸３４の先端部に取り付けられている。
【００３３】
また、一対の回転板３２，３３は、その中心部が支軸３４に回転可能に支持されると共に、その外周部が外周リング板４５を挟み込んだ状態で配置されている。この外周リング板４５は、一対の回転板３２，３３の間に挟み込まれる円環状のリング部４６と、このリング部４６の外周部から固定板３１側に突出され且つ径が拡大する方向に突出されたフランジ部４７とを有する板金からなる。また、フランジ部４７には、ネジ４８を貫通させる複数の貫通孔４９が形成されている。一方、固定板３１には、これら複数の貫通孔４９に対応したネジ孔５０が形成されている。そして、この外周リング板４５は、フランジ部４７の貫通孔４９を通して固定板３１のネジ孔５０にネジ４８が螺合されることによって、固定板３１に取り付けられている。
【００３４】
これに対して、一対の回転板３２，３３のうち、外周リング板４５の内側に配置される第１の回転板３２には、ネジ５１を貫通させる複数の貫通孔５２が形成されている。一方、外周リング板４５の外側に配置される第２の回転板３３には、これら複数の貫通孔５２に対応したネジ孔５３が形成されている。そして、これら一対の回転板３２，３３は、外周リング板４５のリング部４６の内側を通して、第１の回転板３２の貫通孔５２を貫通するネジ５１が第２の回転板３３のネジ孔５３に螺合されることによって、外周リング板４５のリング部４６を挟み込んだ状態で一体に取り付けられている。なお、第２の回転板３３は、ネジ止めにより本体部２側に取り付けられている。
【００３５】
一対の回転板３２，３３には、後述するハーネス６６を貫通させるための第２の開口部５４が形成されている。この第２の開口部５４は、ハーネス６６を貫通させるのに十分な幅で且つ支軸３４を中心に略４５゜＋αの角度範囲に亘って略円弧状に形成されている。なお、角度αは、後述するオーバーラップ角である。
【００３６】
また、一対の回転板３２，３３のうち、第２の回転板３３には、上述した固定板３１のストッパー突部４１と当接される一対の規制片５５ａ，５５ｂが形成されている。これら一対の規制片５５ａ，５５ｂは、支軸３４を中心に略９０゜となる角度位置に配置されており、第２の回転板３３を打ち抜くことによって、第１の回転板３２と対向する主面側に折り曲げ形成されている。一方、第１の回転板３２には、これら一対の規制片５５ａ，５５ｂを貫通させるための一対の開口部５６ａ，５６ｂが形成されている。
【００３７】
そして、この可動ヒンジ機構２０では、一対の回転板３２，３３が固定板３１に対して支軸３４を中心に一の方向に回転したとき、ストッパー突部４１の一端に一方の規制片５５ａが当接される一方、一対の回転板３２，３３が固定板３１に対して支軸３４を中心に他の方向に回転したとき、ストッパー突部４１の他端に他方の規制片５５ｂが当接されることになる。これにより、本体部２に対してグリップ部４が回動される角度範囲を略９０゜に規制することになる。
【００３８】
この回動ヒンジ機構２０は、本体部２に対してグリップ部４が回動される任意の角度位置において、本体部２に対してグリップ部４を安定的に保持するための第１のフリクション機構５７及び第２のフリクション機構５８を備えている。
【００３９】
第１のフリクション機構５７は、固定板３１と第１の回転板３２との間の内周側においてフリクションを発生させるため、支軸３４を貫通させた状態で配置されるバネ板５９と加圧板６０と摩擦板６１とを有している。
【００４０】
バネ板５９は、略円板状の板金の中心部に支軸３４の第１の軸部３４ａと略同径となる貫通孔５９ａが形成されると共に、厚み方向の断面形状が略ハ字状とされた、いわゆるバネワッシャである。
【００４１】
加圧板６０は、バネ板５９と略同径となる略円板状の板金からなり、その中心部には、支軸３４の第２の軸部３４ｂと略同径となる貫通孔６０ａが形成されている。また、加圧板６０の外周部には、この加圧板６０の回転止めとなる位置決め片６０ｂが、この加圧板６０の主面に対して直角に折り曲げ形成されている。一方、固定板３１には、軸孔３６の周囲を一部切り欠くように形成された切欠き凹部６２が形成されており、加圧板６０は、貫通孔６０ａを支軸３４の第２の軸部３４ｂが貫通した状態で、位置決め片６０ｂが固定板３１の切欠き凹部６２に係合されることによって、バネ板５９を固定板３１との間で挟み込んだ状態で固定板３１に位置決め固定されている。
【００４２】
摩擦板６１は、加圧板６０と略同径となる略円板状の高摩擦部材からなり、その中心部には、支軸３４の第２の軸部３４ｂと略同径の貫通孔６１ａが形成されている。そして、この摩擦板６１は、貫通孔６１ａを支軸３４の第２の軸部３４ｂが貫通した状態で回転板３２と加圧板６０との間に挟み込まれた状態で配置されている。
【００４３】
したがって、この第１のフリクション機構５７では、固定板３１と第１の回転板３２との間で圧縮されたバネ板５９が加圧板６０を押圧し、この加圧板６０が摩擦板６１に押し当てられることによって、適度なフリクションを発生させることができる。
【００４４】
第２のフリクション機構５８は、固定板３１と第１の回転板３２との間の外周側においてフリクションを発生させるために、上述した外周リング板４５のリング部４６と共に、固定板３１と第１の回転板３２の外周部との間に圧縮された状態で配置されたバネ板６３を有している。
【００４５】
バネ板６３は、外周リング板４５のリング部４６と略同径となる略円環状の板金からなり、厚み方向に全体が波状に屈曲した形状を有している。また、このバネ板６３の外周部を周方向に略２等分する位置には、このバネ板６３の回転止めとなる一対の位置決め片６４が、このバネ板６３の主面に対して直角に折り曲げ形成されている。一方、固定板３１には、これら一対の位置決め片６４が係合される一対の位置決め孔６５が形成されている。そして、このバネ板６３は、固定板３１と第１の回転板３２の外周部との間に挟み込まれた状態で、一対の位置決め片６４が一対の位置決め孔６５に係合されることによって、固定板３１に位置決め固定されている。
【００４６】
したがって、この第２のフリクション機構５８では、固定板３１と第１の回転板３２の外周部との間で圧縮されたバネ板６３が第１の回転板３２を押圧し、この第１の回転板３２の外周部が外周リング板４５のリング部４６に押し当てられることによって、適度なフリクションを発生させることができる。
【００４７】
以上のように、この回動ヒンジ機構２０では、本体部２とグリップ部４との間を回動可能に支持すると共に、固定板３１と第１の回転板３２との間の内周側及び外周側にフリクションを付与する第１のフリクション機構５７及び第２のフリクション機構５８を設けることによって、本体部２に対してグリップ部４を任意の角度位置で適切且つ安定的に保持することが可能である。
【００４８】
また、この回転ヒンジ機構２０では、このような第１のフリクション機構５７及び第２のフリクション機構５８を設けた場合でも、第１の開口部４０及び第２の開口部５４を通して本体部２とグリップ部４との間でハーネス６６の引き回しを容易に行うことが可能であり、本体部２とグリップ部４との間で引き回されるハーネス６６の邪魔となることがない。
【００４９】
また、この回動ヒンジ機構２０では、グリップ部４が回動したときに所定の位置にてクリック感を付与するクリック機構を設けた場合でも、内周側のバネ板５９及び外周側のバネ板６３による押圧に影響を与えることなく、フリクションを一定に保つことが可能である。
【００５０】
したがって、このような回動ヒンジ機構２０を備えるデジタルビデオカメラ１では、装置全体の更なる小型化を図ると共に、本体部２に対してグリップ部４を任意の角度位置において適切且つ安定的に保持することが可能である。
【００５１】
ところで、上述したデジタルビデオカメラ１では、図１１に示すように、本体部２側とグリップ部４側とを電気的に接続するためのハーネス６６が、上記回動ヒンジ機構２０の第１の開口部４０及び第２の開口部５４を通して、本体部２側の筐体内部とグリップ部４側の筐体内部との間で引き回されている。
【００５２】
ここで、第１の開口部４０と第２の開口部５４とは、図１２及び図１３に示すように、グリップ部４が本体部２に対して回動される角度範囲（ここでは、９０゜の角度範囲）において、少なくとも一部が重なり合うように形成されている。
【００５３】
この場合、本体部２とグリップ部４との間で引き回されるハーネス６６を互いに重なり合う第１の開口部４０と第２の開口部５４との間（以下、オーバーラップ部６７という。）で緩やかに折り曲げることが可能であり、また、このオーバーラップ部６７を通してハーネス６６の引き回しを容易に行うことが可能である。
【００５４】
具体的に、ハーネス６６は、図１４に示すように、所定の幅で形成された長尺状のフレキシブルプリント配線板（以下、ＦＰＣ６６という。）であり、グリップ部４の回動の動きに追従できるように、その中間部分には、主面内で湾曲した湾曲部６６ａが設けられている。この湾曲部６６ａは、図１５に示すように、互いに重なり合う第１の開口部４０と第２の開口部５４との間で折り返される部分であり、支軸３４を中心とする第１の開口部４０及び第２の開口部５４の曲率半径と略同一の曲率半径を有している。
【００５５】
そして、このＦＰＣ６６は、図１１，図１２及び図１３に示すように、その湾曲部６６ａが第１の開口部４０と第２の開口部５４との間のオーバーラップ部６７を通して略Ｕ字状に緩やかに折り返されると共に、その一端側が第２の開口部５４を通して本体部２側へと引き回され、その他端側が第１の開口部４０を通してグリップ部４側へと引き回されている。
【００５６】
ここで、オーバーラップ部６７内で折り返されたＦＰＣ６６は、固定板３１に対する一対の回転板３２，３３の回転の動きに追従して、オーバーラップ部６７内における湾曲部６６ａの折り返し位置を変位させることになる。
【００５７】
このとき、図１１に示す一対の回転板３２，３３が固定板３１に対して回転される角度βに対して、図１５に示すＦＰＣ６６の折り返し位置が変位する角度はβ／２となる。したがって、第１の開口部４０と第２の開口部５４との間にオーバーラップ部６７を形成するためには、少なくとも第１の開口部４０及び第２の開口部５４の角度範囲をグリップ部４が本体部２に対して回動される最大角度（βｍ）の半分以上とする必要がある。
【００５８】
具体的に、図１２に示すように、第１の開口部４０の角度範囲は、上記回動ヒンジ機構２０の組立後にＦＰＣ６６に取り付けられたコネクタ６８を通し易くするため、グリップ部４が本体部２に対して回動される角度範囲（βｍ）と同じ略９０゜となっている。また、第１の開口部４０には、ＦＰＣ６６を保護するための第１のガード部材６９が外周リング板４５のリング部４６の内側を通して、固定板３１と第１の回転板３２との間に挟み込まれた状態で配置されている。
【００５９】
一方、第２の開口部５４の角度範囲は、グリップ部４が本体部２に対して回動される最大角度の半分（βｍ／２）となる４５゜に、少なくとも一部が第１の開口部４０と重なり合うためのオーバーラップ角αを加えた４５゜＋αとなっている。また、第２の開口部５４には、ハーネスを保護するための第２のガード部材７０が一対の回転板３２，３３の間に挟み込まれた状態で配置されている。
【００６０】
そして、第１の開口部４０と第２の開口部５４とは、一対の回転板３２，３３が固定板３１に対して回動される角度範囲において、第１の開口部４０の一端４０ａと第２の開口部５４の他端５４ｂとの間、或いは第１の開口部４０の他端４０ｂと第２の開口部５４の一端５４ａとの間でオーバーラップ部６７を形成するように一部が重ね合わされている。
【００６１】
以上のように、この回動ヒンジ機構２０では、グリップ部４が本体部２に対して回動される角度範囲において、第１の開口部４０と第２の開口部５４とが重なり合うオーバーラップ部６７が形成されていることから、本体部２とグリップ部４との間で引き回されるハーネス６６をこのオーバーラップ部６７において緩やかに折り曲げることが可能であり、また、このオーバーラップ部６７を通してハーネス６６の引き回しを容易に行うことが可能である。
【００６２】
また、この回動ヒンジ機構２０では、ハーネス６６の折返し幅が固定板３１と第１の回転板３２との間に形成される隙間Ｓに影響されることがないことから、この隙間Ｓを狭くして機構自体の厚みを薄くすることも可能である。
【００６３】
したがって、このような回動ヒンジ機構２０を備えるデジタルビデオカメラ１では、本体部２とグリップ部４との間で引き回されるハーネス６６の自由度を維持しながら、装置全体の更なる小型化を図ることが可能である。また、本体部２に対してグリップ部４を回動操作した際のハーネス６６の引っ掛かりや断線、切断等の発生を防ぐことが可能である。特に、ハーネス６６として、両面フレキシブルプリント配線板を使用した場合には、配線数の増加により片面フレキシブルプリント配線板よりも耐屈曲性に劣るため、非常に有効である。また、このデジタルビデオカメラ１では、回動ヒンジ機構２０の組立後にハーネス６６の引き回しを行うことが可能なことから、製造コストの低減を図ることが可能である。
【００６４】
なお、上記デジタルビデオカメラ１では、固定板３１がグリップ部４側に取り付けられ、一対の回転板３２，３３が本体部２側に取り付けられた構成となっているが、これとは逆、すなわち固定板３１が本体部２側に取り付けられ、一対の回転板３２，３３がグリップ部４側に取り付けられた構成とすることも可能である。
【００６５】
また、ハーネス６６として、上述したＦＰＣ以外にも、環境負荷物質の低減のため、ハロゲンフリー化されたハーネス（電線ワイヤー）を使用した場合には、ハーネスが従来よりも硬めとなるため、非常に効果的である。
【産業上の利用可能性】
【００６６】
なお、本発明は、上述した本体部２に対してグリップ部４が上記回動ヒンジ機構２０を介して回動可能に取り付けられたデジタルビデオカメラ１に限定されるものではなく、上記回動ヒンジ機構２０は、このようなデジタルビデオカメラやデジタルスチルカメラ等の撮像装置の他にも、本体部に対して回動部が回動可能に取り付けられた電子機器に対して広く適用することが可能である。
【図面の簡単な説明】
【００６７】
【図１】本発明を適用したデジタルビデオカメラを前面側から見た斜視図である。
【図２】上記デジタルビデオカメラを背面側から見た斜視図である。
【図３】上記デジタルビデオカメラのパネル部を開いた状態を示す斜視図である。
【図４】上記デジタルビデオカメラのグリップ部を回動させた状態を示す斜視図である。
【図５】上記デジタルビデオカメラのグリップ部を開いた状態を示す斜視図である。
【図６】上記デジタルビデオカメラのバッテリが収納された状態を示す要部斜視図である。
【図７】上記デジタルビデオカメラのコネクタ部に接続コードのプラグが差し込まれた状態を示す斜視図である。
【図８】本発明を適用した回動ヒンジ機構の構成を示す分解斜視図である。
【図９】上記回動ヒンジ機構の要部を分解して示す斜視図である。
【図１０】上記回動ヒンジ機構の要部の示す断面図である。
【図１１】上記回動ヒンジ機構の構成を模式的に示す斜視図である。
【図１２】上記回動ヒンジ機構の構成を模式的に示す平面図である。
【図１３】上記回動ヒンジ機構の構成を模式的に示す断面図である。
【図１４】ＦＰＣの構成を示す平面図である。
【図１５】ＦＰＣの折り曲げ状態を示す要部斜視図である。
【符号の説明】
【００６８】
１  デジタルビデオカメラ、  ２  本体部、  ３  パネル部、  ４  グリップ部、  １３  連結部、  １５  コネクタ部、  ２０  回動ヒンジ機構、  ３１  固定板、  ３２  第１の回転板、  ３３  第２の回転板、  ３４  支軸、  ４０  第１の開口部、  ４４  押え板、  ４５  外周リング板、  ５４  第２の開口部、  ５７  第１のフリクション機構、  ５８  第２のフリクション機構、  ５９  バネ板、  ６０  加圧板、  ６１  摩擦板、  ６３  バネ板、  ６６  ハーネス（ＦＰＣ）
【図１】
2005218050.tif 000003
【図２】
2005218050.tif 000004
【図３】
2005218050.tif 000005
【図４】
2005218050.tif 000006
【図５】
2005218050.tif 000007
【図６】
2005218050.tif 000008
【図７】
2005218050.tif 000009
【図８】
2005218050.tif 000010
【図９】
2005218050.tif 000011
【図１０】
2005218050.tif 000012
【図１１】
2005218050.tif 000013
【図１２】
2005218050.tif 000014
【図１３】
2005218050.tif 000015
【図１４】
2005218050.tif 000016
【図１５】
2005218050.tif 000017